(57)【特許請求の範囲】
【請求項１】
互いに分離した第１、第２および第３の高電圧ラインにそれぞれ接続された第１、第２および第３の高電圧ライン側コネクタが配置された第１の基板と、
前記第２の高電圧ライン側コネクタに接続される第１の接続用コネクタと前記第１の高電圧ライン側コネクタまたは前記第３の高電圧ライン側コネクタに接続される第２の接続用コネクタとが配置されると共に当該第１および第２の接続用コネクタを互いに接続する接続用パターンが形成された第２の基板とを備えて構成される接続切替器であって、
前記第１から第３の高電圧ライン側コネクタは、当該第１および第２の高電圧ライン側コネクタ間の距離と当該第２および第３の高電圧ライン側コネクタ間の距離とが等間隔で前記第１の基板に配置され、前記第１および第２の接続用コネクタは、前記第２の基板を前記第１の基板に対して第１の向きで対向させて押し当てたときに、前記第２および第１の高電圧ライン側コネクタにそれぞれ接続され、かつ、前記第２の基板を前記第１の基板に対して第２の向きで対向させて押し当てたときに、前記第２および第３の高電圧ライン側コネクタにそれぞれ接続可能に当該第２の基板に配置されていることを特徴とする接続切替器。
【請求項２】
互いに分離した第１、第２、第３および第４の高電圧ラインにそれぞれ接続された第１、第２、第３および第４の高電圧ライン側コネクタが配置された第１の基板と、
前記第２の高電圧ライン側コネクタまたは前記第３の高電圧ライン側コネクタに接続される第１の接続用コネクタと前記第１の高電圧ライン側コネクタまたは前記第４の高電圧ライン側コネクタに接続される第２の接続用コネクタとが配置されると共に当該第１および第２の接続用コネクタを互いに接続する接続用パターンが形成された第２の基板とを備えて構成される接続切替器であって、
前記第１から第４の高電圧ライン側コネクタは、当該第１および第２の高電圧ライン側コネクタ間の距離と当該第３および第４の高電圧ライン側コネクタ間の距離とが等間隔で前記第１の基板に配置され、前記第１および第２の接続用コネクタは、前記第２の基板を前記第１の基板に対して第１の向きで対向させて押し当てたときに、前記第２および第１の高電圧ライン側コネクタにそれぞれ接続され、かつ、前記第２の基板を第１の基板に対して第２の向きで対向させて押し当てたときに、前記第３および第４の高電圧ライン側コネクタにそれぞれ接続可能に当該第２の基板に配置されていることを特徴とする接続切替器。
【請求項３】
前記各高電圧ライン側コネクタおよび前記両接続用コネクタは、カードエッジ型のコネクタでそれぞれ構成されていることを特徴とする請求項１または２記載の接続切替器。
【請求項４】
請求項１から３のいずれかに記載の接続切替器と、装置本体とを備え、前記第１の基板は、前記装置本体の内部に固定され、前記装置本体には、その表面パネルに対して垂直方向から前記第２の基板を挿入可能な挿入孔が形成されていることを特徴とする測定装置。
【発明の詳細な説明】
【０００１】
【発明の属する技術分野】
本発明は、高電圧ライン切替え接続用の接続切替器に関するものである。
【０００２】
【従来の技術】
この種の接続切替器として、図６に示す測定装置７１の一部を構成する接続切替器７３が従来から知られている。この測定装置７１は、高圧プローブ４ａ，４ｂを介して入力される高電圧の測定対象信号Ｓａ，Ｓｂについて電圧測定などの電気的測定を実行可能に構成され、高圧プローブ４ａ，４ｂのいずれかを測定部５に接続するための高圧リレー７３ａ，７３ｂからなる接続切替器７３と、接続切替器７３を切替制御するための制御部７５とを備えている。この場合、各高圧リレー７３ａ，７３ｂは、それぞれ、制御部７５からオン信号ＳONが出力された際にオン状態に切り替わり、オフ信号ＳOFF が出力された際にオフ状態に切り替わる。
【０００３】
この測定装置７１では、例えば測定対象信号Ｓａに対して電気的測定を行うときには、制御部７５がオン信号ＳONおよびオフ信号ＳOFF を高圧リレー７３ａ，７３ｂにそれぞれ出力する。この際には、高圧リレー７３ａ，７３ｂが、それぞれオン状態およびオフ状態に切り替わることにより、高圧ケーブル６ａ，６ｂが電気的に接続されると共に、高圧ケーブル６ｃ，６ｂが電気的に切断される。これにより、高圧プローブ４ａを介して入力される測定対象信号Ｓａが接続切替器７３から測定部５に出力され、所定の電気的測定が実行される。一方、測定対象信号Ｓｂに対して電気的測定を行うときには、制御部７５がオフ信号ＳOFF およびオン信号ＳONを高圧リレー７３ａ，７３ｂにそれぞれ出力する。この際には、高圧リレー７３ａ，７３ｂが、それぞれオフ状態およびオン状態に切り替わることにより、高圧ケーブル６ｃ，６ｂが電気的に接続されると共に、高圧ケーブル６ａ，６ｂが電気的に切断される。これにより、高圧プローブ４ｂを介して入力される測定対象信号Ｓｂが接続切替器７３から測定部５に出力され、所定の電気的測定が実行される。
【０００４】
【発明が解決しようとする課題】
ところが、従来の測定装置７１における接続切替器７３には、以下の問題点がある。すなわち、従来の接続切替器７３では、二系統の測定対象信号Ｓａ，Ｓｂのいずれか一方を測定部５に出力するために、２つの高圧リレー７３ａ，７３ｂを使用している。この場合、高圧リレー７３ａ，７３ｂは、一般的には高価である。したがって、この接続切替器７３には、高価な高圧リレーを２個使用することに起因して接続切替器７３の部品コストが高騰する結果、測定装置７１全体としての製造コストが高騰しているという問題点がある。また、従来の測定装置７１では、高圧リレー７３ａ，７３ｂを切替制御するための制御部７５が必要となるため、構成が複雑化すると共に、制御部７５の製造コストに起因して測定装置７１の製造コストが高騰しているという問題点もある。
【０００５】
本発明は、かかる問題点に鑑みてなされたものであり、構成の簡易化および製造コストの低減を図り得る接続切替器および測定装置を提供することを主目的とする。
【０００６】
【課題を解決するための手段】
上記目的を達成すべく請求項１記載の接続切替器は、互いに分離した第１、第２および第３の高電圧ラインにそれぞれ接続された第１、第２および第３の高電圧ライン側コネクタが配置された第１の基板と、前記第２の高電圧ライン側コネクタに接続される第１の接続用コネクタと前記第１の高電圧ライン側コネクタまたは前記第３の高電圧ライン側コネクタに接続される第２の接続用コネクタとが配置されると共に当該第１および第２の接続用コネクタを互いに接続する接続用パターンが形成された第２の基板とを備えて構成される接続切替器であって、前記第１から第３の高電圧ライン側コネクタは、当該第１および第２の高電圧ライン側コネクタ間の距離と当該第２および第３の高電圧ライン側コネクタ間の距離とが等間隔で前記第１の基板に配置され、前記第１および第２の接続用コネクタは、前記第２の基板を前記第１の基板に対して第１の向きで対向させて押し当てたときに、前記第２および第１の高電圧ライン側コネクタにそれぞれ接続され、かつ、前記第２の基板を前記第１の基板に対して第２の向きで対向させて押し当てたときに、前記第２および第３の高電圧ライン側コネクタにそれぞれ接続可能に当該第２の基板に配置されていることを特徴とする。なお、後述する発明を含めて、「第１の向き」および「第２の向き」は、同一の向きでない限り、互いに直交する向き、互いに逆向きとなる向き、および互いに４５度異なる向きなど、任意の向きに規定することができる。
【０００７】
請求項２記載の接続切替器は、互いに分離した第１、第２、第３および第４の高電圧ラインにそれぞれ接続された第１、第２、第３および第４の高電圧ライン側コネクタが配置された第１の基板と、前記第２の高電圧ライン側コネクタまたは前記第３の高電圧ライン側コネクタに接続される第１の接続用コネクタと前記第１の高電圧ライン側コネクタまたは前記第４の高電圧ライン側コネクタに接続される第２の接続用コネクタとが配置されると共に当該第１および第２の接続用コネクタを互いに接続する接続用パターンが形成された第２の基板とを備えて構成される接続切替器であって、前記第１から第４の高電圧ライン側コネクタは、当該第１および第２の高電圧ライン側コネクタ間の距離と当該第３および第４の高電圧ライン側コネクタ間の距離とが等間隔で前記第１の基板に配置され、前記第１および第２の接続用コネクタは、前記第２の基板を前記第１の基板に対して第１の向きで対向させて押し当てたときに、前記第２および第１の高電圧ライン側コネクタにそれぞれ接続され、かつ、前記第２の基板を第１の基板に対して第２の向きで対向させて押し当てたときに、前記第３および第４の高電圧ライン側コネクタにそれぞれ接続可能に当該第２の基板に配置されていることを特徴とする。
【０００８】
請求項３記載の接続切替器は、請求項１または２記載の接続切替器において、前記各高電圧ライン側コネクタおよび前記両接続用コネクタは、カードエッジ型のコネクタでそれぞれ構成されていることを特徴とする。
【０００９】
請求項４記載の測定装置は、請求項１から３のいずれかに記載の接続切替器と、装置本体とを備え、前記第１の基板は、前記装置本体の内部に固定され、前記装置本体には、その表面パネルに対して垂直方向から前記第２の基板を挿入可能な挿入孔が形成されていることを特徴とする。
【００１０】
【発明の実施の形態】
以下、添付図面を参照して、本発明における接続切替器を備えた測定装置の好適な発明の実施の形態について説明する。なお、従来の測定装置７１および接続切替器７３と同一の機能を有する構成要素については、同一の符号を付して重複した説明を省略する。
【００１１】
最初に、測定装置１の構成について、図１，２を参照して説明する。
【００１２】
測定装置１は、図１に示すように、高圧プローブ４ａ，４ｂを介して入力される高電圧の測定対象信号Ｓａ，Ｓｂについて、電流値、電圧値および電力量などを測定可能に構成されている。具体的には、測定装置１は、測定装置本体２、接続切替器３、高圧プローブ４ａ，４ｂおよび測定部５を備えている。この場合、測定装置本体２は、本発明における装置本体に相当し、接続切替器３や測定部５などを収納する。また、図２に示すように、測定装置本体２の表面パネル２ａには、後述する接続切替器３による接続切替え時に基板２１を抜き差しするためのスリット２ｂが形成されている。このスリット２ｂは、測定装置本体２内への人の手の挿入を防止するために、後述する基板２１が挿入可能にその厚み（例えば１．６ｍｍ）よりもやや幅広の２ｍｍ程度の開口幅で形成されている。
【００１３】
接続切替器３は、図１に示すように、基板１１，２１を備え、高圧プローブ４ａ，４ｂのいずれか一方を測定部５に切替接続する。この場合、基板１１は、本発明における第１の基板に相当し、測定装置本体２の内部に固定されている。また、基板１１には、高圧ケーブル６ａ，６ｃを介して高圧プローブ４ａ，４ｂにそれぞれ接続されたカードエッジ形のコネクタ１２ａ，１２ｃと、高圧ケーブル６ｂを介して測定部５に接続されたカードエッジ形のコネクタ１２ｂとが一直線上に等間隔で配置されている。この場合、高圧ケーブル６ａ〜６ｃは、基板１１に形成された導体パターンと共に本発明における高電圧ラインを構成する。また、コネクタ１２ａ〜１２ｃは、本発明における第１、第２および第３の高電圧ライン側コネクタにそれぞれ相当し、図２に示すように、測定装置本体２におけるスリット２ｂの真下に位置するように配置されている。基板２１は、本発明における第２の基板に相当し、図１に示すように、その一方の端面側に、基板２１の両面にそれぞれ形成された導体パターン（接続用ライン）２２ｃ，２２ｃで互いに接続されたカードエッジ形のコネクタ２２ａ，２２ｂが形成されている。この場合、コネクタ２２ａ，２２ｂは、本発明における第２および第１の接続用コネクタにそれぞれ相当し、基板１１におけるコネクタ１２ａ，１２ｂ（コネクタ１２ｃ，１２ｂ）の間隔と等しい間隔で形成され、その各電極が基板２１の両面にそれぞれ形成されている。また、基板２１の他方の端面側には、測定装置本体２のスリット２ｂを閉塞可能な化粧パネル２３が取り付けられており、化粧パネル２３の表面には、基板２１を抜き差しするための取っ手２４，２４が導体パターン２２ｃに対して十分な沿面距離が確保された位置に取り付けられている。
【００１４】
次に、測定装置１における接続切替器３の操作方法について、図３，４を参照して説明する。
【００１５】
この接続切替器３では、基板２１のスリット２ｂへの挿入の向きを適宜変更することにより、高圧ケーブル６ａ，６ｃのいずれか一方が高圧ケーブル６ｂに接続され、これにより、高圧プローブ４ａ，４ｂのいずれかが測定部５に接続される。具体的には、例えば、高圧プローブ４ａに入力された測定対象信号Ｓａに対する電圧測定を行う際には、図３に示すように、コネクタ２２ａ，１２ａが互いに対向し、かつコネクタ２２ｂ，１２ｂが互いに対向する向き（本発明における第１の向き）で基板２１をスリット２ｂに挿入する。次に、取っ手２４，２４の上面を下向きに押圧することにより、コネクタ２２ａ，２２ｂをコネクタ１２ａ，１２ｂに押し込んで接続する。これにより、高圧ケーブル６ａ、コネクタ１２ａ，２２ａ、導体パターン２２ｃ、コネクタ２２ｂ，１２ｂおよび高圧ケーブル６ｂを介して高圧プローブ４ａと測定部５とが接続され、高圧プローブ４ａに入力された測定対象信号Ｓａが測定部５に入力される。また、この状態では、化粧パネル２３によってスリット２ｂが閉塞されるため、測定装置本体２内部への塵埃の侵入が阻止される。
【００１６】
一方、高圧プローブ４ｂに入力された測定対象信号Ｓｂに対する電圧測定を行う際には、図４に示すように、コネクタ２２ａ，１２ｃが互いに対向し、かつコネクタ２２ｂ，１２ｂが互いに対向する向き（本発明における第２の向き）で基板２１をスリット２ｂに挿入する。次に、取っ手２４，２４の上面を下向きに押圧することにより、コネクタ２２ａ，２２ｂをコネクタ１２ｃ，１２ｂに押し込んで接続する。これにより、高圧ケーブル６ｃ、コネクタ１２ｃ，２２ａ、導体パターン２２ｃ、コネクタ２２ｂ，１２ｂおよび高圧ケーブル６ｂを介して高圧プローブ４ｂと測定部５とが接続され、高圧プローブ４ｂに入力された測定対象信号Ｓｂが測定部５に入力される。また、この状態では、前述した第１の向きでの挿入時と同様にして、化粧パネル２３によってスリット２ｂが閉塞されるため、測定装置本体２内部への塵埃の侵入が阻止される。
【００１７】
このように、この接続切替器３によれば、高圧ケーブル６ａ〜６ｃに接続されたコネクタ１２ａ〜１２ｃを一直線上に等間隔で配置した基板１１と、コネクタ１２ａ，１２ｂ（コネクタ１２ｃ，１２ｂ）の配置間隔と等しい間隔で配置され導体パターン２２ｃを介して互いに接続されたコネクタ２２ａ，２２ｂを有する基板２１とを備えたことにより、基板１１に対して基板２１を第１の向きで押し当てたときには、高圧ケーブル６ａ，６ｂを互いに接続すると共に高圧ケーブル６ｃ，６ｂ間を切断し、基板２１を反転させて第２の向きで押し当てたときには、高圧ケーブル６ｃ，６ｂを互いに接続すると共に高圧ケーブル６ａ，６ｂ間を切断することができる。したがって、簡易な構成でありながら確実かつ容易に高圧プローブ４ａ，４ｂのいずれか一方を測定部５に切替接続することができる。また、高価な高圧リレーを用いた従来の接続切替器と比較して、その部品コストを大幅に低減することができる結果、測定装置１全体としての製造コストを低減することができる。さらに、この接続切替器３によれば、高圧リレーを用いた従来の接続切替器とは異なり、切替制御用の制御部を不要にすることができるため、制御部の製造コスト分だけ、測定装置１全体としての製造コストを低減することができる。また、この測定装置１によれば、測定装置本体２にスリット２ｂを形成すると共に、基板２１の上端部に化粧パネル２３を取り付けたことにより、基板２１を測定装置本体２に装着した状態では、化粧パネル２３によってスリット２ｂを閉塞できるため、塵埃の侵入に起因する故障を防止することができる。
【００１８】
次いで、本発明の他の実施の形態に係る測定装置３１について、図５を参照して説明する。なお、測定装置１および接続切替器３と同一の機能を有する構成要素については、同一の符号を付して重複した説明を省略する。
【００１９】
測定装置３１は、測定装置１と同様にして、高圧プローブ４ａ，４ｂを介して入力される高電圧の測定対象信号Ｓａ，Ｓｂについて、電流値、電圧値および電力量などを測定可能に構成されている。具体的には、測定装置３１は、測定装置本体３２、接続切替器３３、高圧プローブ４ａ，４ｂおよび測定部５を備えている。この場合、測定装置本体３２は、本発明における装置本体に相当し、接続切替器３３や測定部５などを収納する。接続切替器３３は、基板４１，５１を備え、高圧プローブ４ａ，４ｂのいずれか一方を測定部５に接続する。この場合、基板４１は、本発明における第１の基板に相当し、測定装置本体３２の内部に固定されている。また、基板４１には、高圧ケーブル６ａ，６ｄを介して高圧プローブ４ａ，４ｂにそれぞれ接続されたカードエッジ形のコネクタ１２ａ，１２ｄと、高圧ケーブル６ｂ，６ｃを介して測定部５に接続されたカードエッジ形のコネクタ１２ｂ，１２ｃとが一直線上に等間隔で配置されている。この場合、高圧ケーブル６ａ〜６ｄは、基板４１に形成された導体パターンと共に本発明における高電圧ラインを構成する。また、コネクタ１２ａ〜１２ｄは、本発明における第１、第２、第３および第４の高電圧ライン側コネクタにそれぞれ相当し、測定装置本体３２におけるスリット２ｂの真下に位置するように配置されている。基板５１は、本発明における第２の基板に相当し、その一方の端面側に、基板４１の両面にそれぞれ形成された導体パターン（接続用ライン）２２ｃ，２２ｃで互いに接続されたカードエッジ形のコネクタ２２ａ，２２ｂが形成されている。この場合、コネクタ２２ａ，２２ｂは、本発明における第２および第１の接続用コネクタにそれぞれ相当し、基板４１におけるコネクタ１２ａ，１２ｂ（コネクタ１２ｄ，１２ｃ）の間隔と等しい間隔で形成され、その各電極が基板４１の両面にそれぞれ形成されている。
【００２０】
この接続切替器３３では、基板５１のスリット２ｂへの挿入の向きを適宜変更することにより、高圧ケーブル６ａ，６ｄのいずれか一方が高圧ケーブル６ｂまたは高圧ケーブル６ｃに接続され、これにより、高圧プローブ４ａ，４ｂのいずれかが測定部５に接続される。具体的には、例えば、高圧プローブ４ａに入力された測定対象信号Ｓａに対する電圧測定を行う際には、同図に実線で示すように、コネクタ２２ａ，１２ａが互いに対向し、かつコネクタ２２ｂ，１２ｂが互いに対向する向き（本発明における第１の向き）で基板５１をスリット２ｂに挿入する。次に、取っ手２４，２４の上面を下向きに押圧することにより、コネクタ２２ａ，２２ｂをコネクタ１２ａ，１２ｂに押し込んで接続する。これにより、高圧ケーブル６ａ、コネクタ１２ａ，２２ａ、導体パターン２２ｃ、コネクタ２２ｂ，１２ｂおよび高圧ケーブル６ｂを介して高圧プローブ４ａと測定部５とが接続され、高圧プローブ４ａに入力された測定対象信号Ｓａが測定部５に入力される。
【００２１】
一方、高圧プローブ４ｂに入力された測定対象信号Ｓｂに対する電圧測定を行う際には、同図に一点鎖線で示すように、コネクタ２２ａ，１２ｄが互いに対向し、かつコネクタ２２ｂ，１２ｃが互いに対向する向き（本発明における第２の向き）で基板５１をスリット２ｂに挿入する。次に、取っ手２４，２４の上面を下向きに押圧することにより、コネクタ２２ａ，２２ｂをコネクタ１２ｄ，１２ｃに押し込んで接続する。これにより、高圧ケーブル６ｄ、コネクタ１２ｄ，２２ａ、導体パターン２２ｃ、コネクタ２２ｂ，１２ｃおよび高圧ケーブル６ｃを介して高圧プローブ４ｂと測定部５とが接続され、高圧プローブ４ｂに入力された測定対象信号Ｓｂが測定部５に入力される。
【００２２】
このように、この接続切替器３３によれば、高圧ケーブル６ａ〜６ｄに接続されたコネクタ１２ａ〜１２ｄを一直線上に等間隔で配置した基板４１と、コネクタ１２ａ，１２ｂ（コネクタ１２ｄ，１２ｃ）の配置間隔と等しい間隔で配置され導体パターン２２ｃを介して互いに接続されたコネクタ２２ａ，２２ｂを有する基板５１とを備えたことにより、基板４１に対して基板５１を第１の向きで押し当てたときには、高圧ケーブル６ａ，６ｂを互いに接続すると共に高圧ケーブル６ｄ，６ｃ間を切断し、基板５１を反転させて第２の向きで押し当てたときには、高圧ケーブル６ｄ，６ｃを互いに接続すると共に高圧ケーブル６ａ，６ｂ間を切断することができる。したがって、簡易な構成でありながら確実かつ容易に高圧プローブ４ａ，４ｂのいずれか一方を測定部５に接続することができる。また、接続切替器３と同様にして、高価な高圧リレーや切替制御用の制御部を用いないため、測定装置３１全体としての製造コストを低減することができる。
【００２３】
なお、本発明は、上記した本発明の実施の形態に示した構成に限定されない。例えば、本発明の実施の形態では、二系統の高電圧ラインのいずれか一方を１つの高電圧ラインに切替接続する接続切替器３と、二系統の高電圧ラインのいずれか一方を接続して他方の接続を切断する接続切替器３３とを例に挙げて説明したが、複数の接続切替器３（または接続切替器３３）を一直線上に一体的に配置したり、接続切替器３，３３を一直線上に一体的に配置したりすることもできる。また、基板１１上に測定部５を搭載することもできるし、高電圧電源装置から出力される高電圧電源を切替接続する構成に適用することもできる。さらに、コネクタ１２ａ〜１２ｄ，２２ａ，２２ｂとして、カードエッジ型に代えて通常タイプのコネクタを用いることもできる。加えて、測定装置１における基板１１を基板２１の挿入方向に平行に配置し、かつコネクタ１２ａ〜１２ｃを基板１１の端部に配置することにより、両基板１１，２１が互いに平行な状態においてコネクタ１２ａ（または１２ｃ），１２ｂとコネクタ２２ａ，２２ｂとを接続可能な構成を採用することもできる。また、本発明における接続切替器を搭載する機器についても、本発明の実施の形態に示した測定装置に限定されず、切替接続対象の複数の高電圧ラインを有する各種電子機器に搭載することができる。
【００２４】
【発明の効果】
以上のように、請求項１記載の接続切替器によれば、第１〜第３の高電圧ライン側コネクタを配置した第１の基板と、第１の基板に対して第１の向きで対向させて押し当てたときに第２および第１の高電圧ライン側コネクタにそれぞれ接続されると共に第２の向きで対向させて押し当てたときに第２および第３の高電圧ライン側コネクタにそれぞれ接続可能に第１および第２の接続用コネクタを配置した第２の基板とを備えたことにより、第２の基板の向きを適宜変更して第１の基板に押し当てるだけで、高圧リレーを用いた従来の接続切替器と比較して、簡易かつ安価な構成でありながら確実かつ容易に高電圧ラインの接続状態を切り替えることができる。
【００２５】
また、請求項２記載の接続切替器によれば、第１〜第４の高電圧ライン側コネクタを配置した第１の基板と、第１の基板に対して第１の向きで対向させて押し当てたときに第２および第１の高電圧ライン側コネクタにそれぞれ接続されると共に第２の向きで対向させて押し当てたときに第３および第４の高電圧ライン側コネクタにそれぞれ接続可能に第１および第２の接続用コネクタを配置した第２の基板とを備えたことにより、第２の基板の向きを適宜変更して第１の基板に押し当てるだけで、高圧リレーを用いた従来の接続切替器と比較して、簡易かつ安価な構成でありながら確実かつ容易に高電圧ラインの接続状態を切り替えることができる。
【００２６】
さらに、請求項３記載の接続切替器によれば、各高電圧ライン側コネクタおよび両接続用コネクタをカードエッジ型のコネクタでそれぞれ構成したことにより、例えば、基板実装型のコネクタを第１および第２の基板にそれぞれ実装した接続切替器とは異なり、さらに簡易に構成することができ、加えて、第１の基板または第２の基板に配置されるコネクタの実装工程を省くことができる結果、接続切替器の製造コストをさらに低減することができる。
【００２７】
また、請求項４記載の測定装置によれば、第１の基板を装置本体の内部に固定すると共に表面パネルに対して垂直方向から第２の基板を挿入可能な挿入孔を装置本体に形成したことにより、簡易かつ安価な構成でありながら、第２の基板をいずれかの向きで第１の基板に押し当てるだけで、高電圧ラインの接続状態を確実かつ容易に切り替えることができる。また、高圧リレーを用いた従来の接続切替器を備える構成と比較して、安価に測定装置を構成することができる。
【図面の簡単な説明】
【図１】本発明の実施の形態に係る測定装置１の構成を示す断面図である。
【図２】測定装置本体２の一部を上から見た平面図である。
【図３】基板１１に基板２１を第１の向きで押し当てた状態における測定装置１の断面図である。
【図４】基板１１に基板２１を第２の向きで押し当てた状態における測定装置１の断面図である。
【図５】本発明の他の実施の形態に係る測定装置３１（接続切替器３３）の断面図である。
【図６】従来の接続切替器７１の構成を示すブロック図である。
【符号の説明】
１，３１  測定装置
２，３２  測定装置本体
２ａ  表面パネル
２ｂ  スリット
３，３３  接続切替器
４ａ，４ｂ  高圧プローブ
５  測定部
６ａ〜６ｄ  高圧ケーブル
１１，２１，４１，５１  基板
１２ａ〜１２ｄ，２２ａ，２２ｂ  コネクタ
２２ｃ  導体パターン
２３  化粧パネル
２４  取っ手
Ｓａ，Ｓｂ  測定対象信号
【図１】
0004508409.tif 000002
【図２】
0004508409.tif 000003
【図３】
0004508409.tif 000004
【図４】
0004508409.tif 000005
【図５】
0004508409.tif 000006
【図６】
0004508409.tif 000007